(57)【要約】【課題】部品点数が少なく構造が簡素であり、耐久性に優れた、アームが回転可能な刺股を提供する。【解決手段】湾曲したアーム２が先端部に固着された中空状のロッド３と、このロッド３と同径であり中空状の把持部４と、ロッド３の内部と把持部４の内部とを連通する中パイプ６とを備えている。把持部４は、中パイプ６を介在してロッド３の長手方向上に設けられている。ロッド３には、中パイプ６を固定するための固定具であるネジ７が螺入されて設けられており、これにより、アーム２と、ロッド３と、中パイプ６とが固定されて一体となっており、使用者が把持する把持部４は分離、独立した構造となっている。また、把持部４を貫通する中パイプ６の把持部４側の端部６ａには、把持部４の先端４ａに係止するための係止具８が設けられている。【選択図】  図１
2006242537.tif 000002
【特許請求の範囲】
【請求項１】
不審者を拘束するための湾曲したアームを有する刺股において、
前記アームが先端部に固着された中空状のロッドと、当該ロッドと同径で中空状の把持部と、前記ロッドの内部と前記把持部の内部とを連通する中パイプと、を備え、
前記把持部は、前記中パイプを介在して前記ロッドの長手方向上に設けられ、
前記ロッドには、前記中パイプを固定するための固定具が設けられ、
前記中パイプは前記把持部を貫通し、前記中パイプの端部には、前記把持部の先端に係止するための係止具が設けられたことを特徴とする刺股。
【請求項２】
前記ロッドと前記把持部との繋ぎ目には、円筒状の被覆部材が設けられた請求項１記載の刺股。
【発明の詳細な説明】
【技術分野】
【０００１】
本発明は、不審者を捕えるために用いられる刺股に関する。
【背景技術】
【０００２】
不審者を捕えるために用いる道具として刺股が知られている。刺股の構造としては、両手で把持するロッドの先端部に不審者を捕えるための湾曲したアームが設けられている。しかしながら、ロッドとアームが一体となって固定されていると、不審者にアームを抑えられた場合に、アームの部分の径がロッドの径よりもはるかに大きいため、アームの回転力が使用者の抑える力を上回ってしまい、刺股の使用者は振り払われて不審者を逃してしまうという問題点があった。この問題点を解決するために、湾曲アームがロッドに対してロッドの軸回りに回転可能に設けられた刺股が知られている（例えば、特許文献１参照。）。
【０００３】
特許文献１に記載の刺股について図６〜図８を用いて説明する。図６はこの刺股の正面図、図７はこの刺股の連結装置の部分断面図、図８は図７のＡ−Ａ線断面図を示している。
特許文献１に記載の刺股は、湾曲アーム２０とロッド１０とを連結する連結装置３０を設け、その連結装置３０に、湾曲アーム２０をロッド１０の軸回りに回転させる機能と、湾曲アーム２０とロッド１０の間に所定の力以上の回転力が加えられたときにのみ回転を許容する回転制御機能とを有する構成としている。
【０００４】
連結装置３０は、図７，図８に示すように、湾曲アーム２０を保持する保持部３１と、保持部３１から一体に突出した軸部３２と、軸部３２の先端側に配置される固定部３３と、固定部３３に対して軸部３２をその軸部３２の軸回りに回転可能に連結する締結手段３４とを備えている。そして、それら軸部３２と固定部３３及び締結手段３４がロッド本体１１の先端部内に挿入されている。
【０００５】
固定部３３は、ロッド本体１１に対して固定ピン３５により固定されていて、軸部３２がロッド本体１１に対して回転可能であり、さらに軸部３２と固定部３３との間に、それら軸部３２と固定部３３との間の相対回転に抵抗を与える摩擦手段３６が設けられている。この摩擦手段３６は、軸部３２と固定部３３との間に挿入した摩擦制御ワッシャー３６ａを含み、締結手段３４は、軸部３２と固定部３３との相対距離を調整可能に設けてある。
【０００６】
締結手段３４は、ボルト３４ａとナット３４ｂを含み、ボルト３４ａが湾曲アーム２０のアーム本体２１部分と保持部３１及び軸部３２と固定部３３をそれぞれ貫通する構成としている。ナット３４ｂと固定部３３との間には通常のワッシャー３４ｃが設けられている。また、締結手段３４のボルト３４ａと軸部３２との軸回りの相対回転を阻止するための回り止めピン３７が設けられている。
【０００７】
このような構造の連結装置３０においては、湾曲アーム２０は締結手段３４により保持部３１に固定され、保持部３１と一体の軸部３２はロッド本体１１内に回転可能に挿入され、固定部３３は固定ピン３５によりロッド本体１１に固定されている。そして、ナット３４ｂを締め込むことにより摩擦手段３６が機能し、ロッド本体１１に対する湾曲アーム２０の回転抵抗が発生するようになっている。即ち、ナット３４ｂを締め込むと、軸部３２と固定部３３との間に摩擦制御ワッシャー３６ａが存在しているため、軸部３２及び固定部３３との間に、ナット３４ｂの締め付け力に応じた摩擦抵抗が発生する。
【０００８】
【特許文献１】特開２０００−１８８９０号公報
【発明の開示】
【発明が解決しようとする課題】
【０００９】
しかしながら、特許文献１に記載の刺股は、図７，図８に示すように、アーム本体２１をロッド本体１１に対して回転可能に設けるためには、軸部３２やボルト３４ａ等、多くの部品を必要とした複雑な構造となっている。また、摩擦手段３６としてワッシャー３６ａが使用されており、このワッシャー３６ａは、湾曲アーム２０を回転させると摩耗が起こり、摩耗が激しくなると摩擦手段として機能せず、交換する必要がある。さらに、摩擦抵抗を調整するためには、一旦固定ピン３５を外して締結手段３４をロッド本体１１から取り出して調整する必要があり手間がかかる。
【００１０】
そこで、本発明が解決しようとする課題は、部品点数が少なく構造が簡素であり、耐久性に優れた、アームが回転可能な刺股を提供することにある。
【課題を解決するための手段】
【００１１】
本発明の刺股は、不審者を拘束するための湾曲したアームを有する刺股において、前記アームが先端部に固着された中空状のロッドと、当該ロッドと同径で中空状の把持部と、前記ロッドの内部と前記把持部の内部とを連通する中パイプと、を備え、前記把持部は、前記中パイプを介在して前記ロッドの長手方向上に設けられ、前記ロッドには、前記中パイプを固定するための固定具が設けられ、前記中パイプは前記把持部を貫通し、前記中パイプの端部には、前記把持部の先端に係止するための係止具が設けられたことを特徴とする。
【００１２】
本発明の刺股は、上記の構成とすることにより、アームと、ロッドと、中パイプとが固定されて一体となり、これらと把持部とは分離、独立した状態となっている。このため、アームが回転したとき、このアームの回転力が把持部に伝達しない構造とすることができる。これにより、不審者が抵抗しようとしてアームを掴んで回転させても、この回転の影響を受けることなく、使用者は把持部を把持し続けることができる。
【００１３】
また、中パイプの端部に係止具を設け、これを把持部の先端に係止させることにより、把持部の内部に中パイプを位置させて、把持部が中パイプから抜け落ちることを防止することができる。
さらに、部品点数が少なく構造が簡素であるため、製造が容易となり、部品の消耗を防ぐこともできるため、耐久性に優れた刺股とすることができる。
【００１４】
ここで、前記ロッドと前記把持部との繋ぎ目には、円筒状の被覆部材を設けることが望ましい。これにより、ロッドと把持部とを滑らかに接続することができる、また、アームが固着されたロッドが把持部に対して回転するとき、被覆部材は摩擦手段として機能し、アームが把持部に対して無駄に空転することを防止することができる。さらに、被覆部材をグリップ部分として使用すれば、使用者は、刺股を安定して把持して使用することができる。
【発明の効果】
【００１５】
本発明の最大の特徴は、アームと、ロッドと、中パイプとを固定して一体とし、これらと把持部とは分離していることにある。これにより、アームが回転したとき、このアームの回転力が把持部に伝達しない構造とすることができる。従って、捕えた不審者が抵抗してアームを掴んで回転させても、使用者が把持部を把持した状態でアームは把持部に対して回転することとなり、使用者は把持部を持ち続けることができる。さらに、部品点数が少なく構造が簡素であるため、製造が容易となり、部品の消耗を防ぐこともできるため、耐久性に優れた刺股とすることができる。
【発明を実施するための最良の形態】
【００１６】
以下、図１〜図４に基づいて本発明の実施形態である刺股について説明する。
図１は本発明の実施形態である刺股を示す図、図２は図１のＡ−Ａ線拡大断面図、図３は図１のＢ−Ｂ線拡大断面図、図４は中パイプが把持部に係止されていることを示す底面図である。
【００１７】
図１〜図３に示すように、刺股１は、湾曲したアーム２が先端部に固着された中空状のロッド３と、このロッド３と同径で中空状の把持部４と、ロッド３の内部と把持部４の内部とを連通する中パイプ６とを備えている。把持部４は、中パイプ６を介在してロッドの長手方向上に隣接して設けられている。ロッド３には、中パイプ６を固定するための固定具であるネジ７が螺入されて設けられており、これにより、アーム２と、ロッド３と、中パイプ６とが固定されて一体となっており、使用者が把持する把持部４は分離、独立した構造となっている。
【００１８】
このため、刺股１は、部品点数が少なく簡素な構造でありながら、アーム２を回転させたときに、このアーム２の回転力を把持部４に伝達させない構造とすることができる。これにより、不審者がアーム２を掴んで回転させて使用者を振り払おうとしても、アーム２の回転に伴ってロッド３と中パイプ６とが回転するのみで、把持部４は回転しない。従って、使用者は、大きな力を要せずに把持部４を把持し続けることができる。
【００１９】
また、図４に示すように、把持部４を貫通する中パイプ６の把持部４側の端部６ａには、把持部４の先端４ａに係止するための係止具８が設けられている。このように、把持部４に中パイプ６を貫通させて、これらを係止具８で係止することにより、把持部４が中パイプ６から抜け落ちることを防止することができる。ここで、本実施形態においては、係止具８は、金属性の棒状のものを端部６ａに貫通させて使用しているが、把持部４の先端４ａに係止されるものであれば、他の形態としても良い。また、本実施形態においては、ロッド３と把持部４の長さを同程度としているが、これに限定されることはなく、使用状況を想定して適宜長さを変えても良い。
【００２０】
ここで図５に示すように、刺股１において、ロッド３と把持部４とが隣接する位置である繋ぎ目５には、円筒状の被覆部材９ａを設けることが望ましい。被覆部材９ａとしては、弾性変形可能な樹脂製のものを使用している。これにより、ロッド３と把持部４とが隣接する繋ぎ目５において段差を生じることなく滑らかに接続することができる。
また、アーム２が固着されたロッド３が把持部４に対して回転するとき、この被覆部材９ａとロッドとの間に摩擦が発生する。これにより、被覆部材９ａは摩擦手段として機能し、アーム２が把持部４に対して無駄に回転（空転）することを防止することができるため、使用者は不審者を正確に捕えることができる。
【００２１】
なお、摩擦の大きさは、被覆部材９ａを適宜選択することにより調整することが可能である。さらに、被覆部材９ａをグリップ部分として使用すれば、使用者は、刺股１を安定して把持して使用することができる。
【００２２】
また、把持部４の先端４ａには、係止具８および中パイプ６の端部６ａを被覆する被覆部材９ｂが設けられている。これにより、使用者は係止具８や端部６ａに衣服などを引っ掛けることが無く、安全に使用することができる。なお、被覆部材９ｂの材質については樹脂製のものを使用しているが、これに限定されるものでは無く、金属等他の材質とすることもできる。
【産業上の利用可能性】
【００２３】
本発明の刺股は、学校やコンビニエンスストア等、不審者が侵入する恐れのある場所において広く利用することができる。
【図面の簡単な説明】
【００２４】
【図１】本発明の実施形態である刺股を示す正面図である。
【図２】図１のＡ−Ａ線拡大断面図である。
【図３】図１のＢ−Ｂ線拡大断面図である。
【図４】中パイプが把持部に係止されていることを示す底面図である。
【図５】本発明の実施形態である刺股に被覆部材を設けたことを示す正面図である。
【図６】従来の刺股を示す図である。
【図７】従来の刺股を示す図である。
【図８】従来の刺股を示す図である。
【符号の説明】
【００２５】
１  刺股
２  アーム
３  ロッド
４  把持部
４ａ  先端
５  繋ぎ目
６  中パイプ
６ａ  端部
７  ネジ
８  係止具
９ａ，９ｂ  被覆部材
【図１】
2006242537.tif 000003
【図２】
2006242537.tif 000004
【図３】
2006242537.tif 000005
【図４】
2006242537.tif 000006
【図５】
2006242537.tif 000007
【図６】
2006242537.tif 000008
【図７】
2006242537.tif 000009
【図８】
2006242537.tif 000010